(57)【要約】      （修正有）【課題】植物の根の伸長に必要な土壌厚さを確保しながらも軽量化が図れ、かつ歩行による土壌の圧密が生じ難い植栽用基盤を提供する。【解決手段】植栽用基盤１は、板状部２の周縁に周壁３が形成され、また、板状部２の上面に周壁３と同一高さの支承柱４が複数立設された構成で、その全体が通水性の空隙を有する合成樹脂発泡体により形成されている。また、周壁３と支承柱４とは、通常、同一高さに構成される。該支承柱４の存在により、植物の根の伸長に必要な土壌厚さを確保しながらも軽量化が図れ、かつ歩行による土壌の圧密が生じ難い植栽用基盤を提供することができる。【選択図】図１
0003153614.tif 000002
【実用新案登録請求の範囲】
【請求項１】
板状部の上面に、略同一高さの支承柱が複数立設されて成り、その全体が通水性の空隙を有する合成樹脂発泡体により形成されていることを特徴とする、植栽用基盤。
【請求項２】
上記板状部の周縁に、上記支承柱と略同一高さの周壁が形成されていることを特徴とする、請求項１に記載の植栽用基盤。
【請求項３】
上記支承柱の高さが５〜２０ｃｍであり、且つ該支承柱の間隔が３〜１５ｃｍであり、且つ該支承柱の先端面積が５〜１２５ｃｍ2であることを特徴とする、請求項１又は２に記載の植栽用基盤。
【請求項４】
上記支承柱の先端面積の総和が、上記板状部の上面の全面積の３０〜７０％であることを特徴とする、請求項１〜３のいずれかに記載の植栽用基盤。
【請求項５】
請求項１〜４のいずれかに記載の植栽用基盤が複数個連接して敷設され、該敷設された植栽用基盤に土壌が充填され、該充填された土壌に植物が植えられていることを特徴とする、緑化構造物。
【考案の詳細な説明】
【技術分野】
【０００１】
本考案は、屋上緑化等において好適に用いられる植栽用基盤、及び該植栽用基盤を用いた緑化構造物に関するものである。
【背景技術】
【０００２】
近年、大都市部ではアスファルトやコンクリートの占める面積が増大する一方、緑地面積は減少する傾向にある。さらに大都市部では自動車等からの排気ガス量、エアコンからの放熱量も増大し、これらが原因となって、都市部の気温が郊外の気温よりも高くなるヒートアイランド現象が問題となっている。
【０００３】
このヒートアイランド現象を解決するためには、都市部における緑地面積を増加させる
ことが必要であり、その一方策として、ビルの屋上緑化等が積極的に行われている。
【０００４】
屋上緑化の方法としては、当初、屋上に防水シートを敷設して玉石やパーライトと客土を入れ、ここに植物を植える方法が採用されていた。しかしながら、屋上という特殊な環境下においては、土壌が乾燥して植物が枯れやすく、上記のような方法の場合、植物が枯れるたびに屋上で植物を植え直す等の手間がかかるという問題があった。
【０００５】
そこで、特許文献１には、合成樹脂等の容器に培養土を入れ、これに植物を植えたものを複数個敷設する方法が採用され、土壌の乾燥を防止するために土壌の表面を通水性の合成樹脂製の蓋によって被覆したものが提案されている。この方法では、たとえ一部の植物が枯れたとしても、枯れた植物の植えられていた容器を、予め植物を植えておいた別の容器と入れかえるだけですむため、屋上緑化の維持管理が容易であるという利点がある。
【０００６】
また、特許文献２には、通水性の空隙を有する合成樹脂発泡体より形成された容器に植物培養土が充填され、植物培養土には該培養土の表面を覆う地被植物が植栽されている植物栽培床が提案されている。この植物栽培床によれば、容器が発泡体にて形成されているため断熱性に優れ、屋上等の温度条件が劣悪な場所であっても培養土の温度を一定の範囲内に保ち、地植えと同じような保温効果が期待できる。また該容器は植栽されている植物に応じた適度な通水性を有するのみならず、保水性、通気性を有する構造を有するとともに、培養土にはその表面を被覆する地被植物が植えられているため、培養土表面からの水分の蒸発が抑えられ、水やりなどの植栽管理を軽減することができ、更に培養土やそれに含まれる水分の急激な温度変化が防止されるという利点がある。
【先行技術文献】
【特許文献】
【０００７】
【特許文献１】実公平７−５５８８４号公報
【特許文献２】特開２００３−１４３９４１号公報
【考案の概要】
【考案が解決しようとする課題】
【０００８】
しかしながら、上記したいずれの特許文献に記載された技術にあっても、植物の根の伸長に必要な土壌厚さを確保しようとした場合には、土壌の充填量が多くなり、例え軽量土壌を用いたとしても、１個１個の容器の重量が重いものとなり、その移動、交換等の作業が重労働なものとなっていた。
また、建物に掛る荷重が大きくなることから、軽量化を図る為には土壌の充填厚さを薄くしなければならず、前述の通り、根の伸長の範囲が狭められたり、土壌が乾燥し易くなるなどの問題点があった。また、屋上緑化の施工を前提としていない既存建物の緑化改修は、緑化施工に荷重制限を受けることとなる。
また、踏圧に強い芝などを植栽し、その上を歩行できる緑化構造物とした場合には、踏圧によって歩行部分の土壌が圧縮され、表層に不陸（凹凸）が生じて見栄えが悪くなるとともに、歩行性も悪化していた。また、圧縮されて凹部となった部分は、雨水が集まるため、高い保水量となり急激な日射などにより植栽した植物の根腐れが生じ易いという課題もあった。
【０００９】
本考案は、上述した背景技術が有する課題に鑑みなされたもので、植物の根の伸長に必要な土壌厚さを確保しながらも軽量化が図れ、かつ歩行による土壌の圧密が生じ難い植栽用基盤、及び該植栽用基盤を用いた緑化構造物を提供することを目的とする。
【課題を解決するための手段】
【００１０】
上記した課題は、次の〔１〕〜〔５〕の本考案に係る植栽用基盤及び緑化構造物によって解決された。
〔１〕板状部の上面に、略同一高さの支承柱が複数立設されて成り、その全体が通水性の空隙を有する合成樹脂発泡体により形成されていることを特徴とする、植栽用基盤。
〔２〕上記板状部の周縁に、上記支承柱と略同一高さの周壁が形成されていることを特徴とする、上記〔１〕に記載の植栽用基盤。
〔３〕上記支承柱の高さが５〜２０ｃｍであり、且つ該支承柱の間隔が３〜１５ｃｍであり、且つ該支承柱の先端面積が５〜１２５ｃｍ2であることを特徴とする、上記〔１〕又は〔２〕に記載の植栽用基盤。
〔４〕上記支承柱の先端面積の総和が、上記板状部の上面の全面積の３０〜７０％であることを特徴とする、上記〔１〕〜〔３〕のいずれかに記載の植栽用基盤。
〔５〕上記〔１〕〜〔４〕のいずれかに記載の植栽用基盤が複数個連接して敷設され、該敷設された植栽用基盤に土壌が充填され、該充填された土壌に植物が植えられていることを特徴とする、緑化構造物。
【考案の効果】
【００１１】
上記した本考案に係る植栽用基盤によれば、板状部の上面に、略同一高さの支承柱が複数立設された構造であるため、該支承柱間に培養土等の土壌を充填することにより、植物の根の伸長に必要な土壌厚さを確保しながらも土壌の充填量を少なくすることができ、全体重量の軽量化が図れる。また、踏圧に強い芝などを植栽し、その上を歩行できるようにした場合において、沈下しやすい土壌に変わって支承柱が荷重を支えるため、歩行性及び歩行による土壌の圧密が改善される。さらに、全体が通水性の空隙を有する合成樹脂発泡体により形成されているため、軽量であると共に断熱性に優れ、且つ根腐れが生じ難いものとなる。
【図面の簡単な説明】
【００１２】
【図１】本考案に係る植栽用基盤の一実施の形態を示した斜視図である。
【図２】図１に示した植栽用基盤の平面図である。
【図３】図１のＡ部を切り取って拡大して示した斜視図である。
【図４】図２のＢ−Ｂ線に沿う部分の拡大断面図である。
【図５】中空筒状の樹脂粒子を得るために適したダイスのリップ形状を示した略図である。
【図６】本考案に係る植栽用基盤を用いた緑化構造物の一部を示した斜視図である。
【図７】図６のＣ−Ｃ線に沿う部分の拡大断面図である。
【考案を実施するための形態】
【００１３】
以下、上記した本考案に係る植栽用基盤及び該植栽用基盤を用いた緑化構造物の実施の形態を、図面を示して詳細に説明する。
【００１４】
図１〜図４は、本考案に係る植栽用基盤１の一実施の形態を示す。この植栽用基盤１は、板状部２の周縁に周壁３が形成され、また、板状部２の上面に周壁３と同一高さの支承柱４が複数立設された構成で、その全体が通水性の空隙を有する合成樹脂発泡体により形成されている。また、周壁３と支承柱４とは、通常、同一高さに構成されるが、支承柱の歪を考慮して、支承柱４を周壁３よりも多少高く設けることもできる。また、支承柱を土壌で覆うため周壁を高くすることもできる。周壁の高さは、歩行性を考慮して決定すればよく、板状部２から上方の周壁３の高さは、支承柱４との高さを基準に−１５ｍｍ〜＋１５ｍｍであることが好ましい。
【００１５】
上記板状部２は、植栽用基盤１の本体を構成するものであり、この板状部２の形状及び寸法によって、該植栽用基盤１の敷設性、搬送性等が決定される。板状部２の形状は、隙間なく敷設できる観点から矩形状であることが好ましく、図示した実施の形態にあっては、直方体形状の板体に形成されている。また寸法は、搬送性等の観点から縦・横共に３０〜１２０ｃｍであることが好ましく、５０〜１００ｃｍであることが特に好ましい。厚みは強度の観点から１０〜５０ｍｍであることが好ましい。図示した実施の形態にあっては、縦５１．５ｃｍ、横４２ｃｍ、厚み１２．５ｍｍの直方体形状の板体に形成されている。
【００１６】
上記板状部２の周縁に形成された周壁３は、必ずしも設けなくてもよいが、周壁３を形成した場合には、該植栽用基盤１は１個の容器となり、充填した土壌等がこぼれ難いものとなる。そのため、植栽用基盤１に植物を植えた植栽物として屋上等に搬入し、複数個連接して敷設するだけの作業により、簡単に緑化構造物を構築することができ、また、緑化構造物を構築した後において、一部の植物が枯れたとしても、枯れた植物の植えられている部分のみの植栽用基盤１を、予め植物を植えておいた別の植栽用基盤１と交換する作業のみによって緑化構造物の維持管理が可能となるため、周壁３を形成した植栽用基盤１とすることは好ましい。図示した実施の形態にあっては、板状部２の周縁に同一高さの周壁３が連続的に形成されており、該周壁３の高さは１０ｃｍ、厚さは２０ｍｍに形成されている。また、周壁３の内面側には、後記する支承柱４との間隙を調整し、土壌の充填量を確保或いは低減するため等の目的で、凹部５、凸部６が形成されている。
【００１７】
上記板状部２の上面に形成された支承柱４は、本考案に係る植栽用基盤１の最大の特徴部分であり、該支承柱４の存在により、植物の根の伸長に必要な土壌厚さを確保しながらも軽量化が図れ、かつ歩行による土壌の圧密が生じ難い植栽用基盤を提供することができる。この支承柱４の形状は、特に限定されるものではなく、円柱、楕円柱、四角柱、三角柱、異形柱など、いずれの形状のものであってもよいが、図示した実施の形態にあっては、＋字形の異形柱に形成されている。
【００１８】
また、支承柱４の寸法は、植物の根の伸長に必要な土壌厚さを確保する観点から、高さは５〜２０ｃｍ、特には１０〜１５ｃｍであることが好ましく、また、歩行者の荷重を支える観点から、各支承柱は同一高さであることが好ましく、その支承柱の間隔は３〜１５ｃｍ、特には５〜１０ｃｍであることが好ましく、且つ該支承柱の先端面積は５〜１２５ｃｍ2、特には１０〜４０ｃｍ2であることが好ましい。また同様の観点更には適度な土壌量を確保する観点から、形成された支承柱の先端面積の総和は、板状部の上面の全面積の３０〜７０％、特には４０〜６０％であることが好ましい。図示した実施の形態にあっては、支承柱４の高さは全て同一で１０ｃｍ、支承柱の間隔は６．７ｃｍ、支承柱の先端面積は２０ｃｍ2、そして、支承柱の先端面積の総和は板状部の上面の全面積の５０％に形成されている。
なお、本明細書において支承柱の間隔は、図２に示したように、各支承柱の中心点α，α同士の最短距離Ｌをいう。詳しくは、支承柱の間隔とは、任意の支承柱の中心点αを基準に隣り合う周囲に存在する複数の支承柱の中心点αとの距離の内、最短距離を意味する。また、支承柱は、上方へ先細りとなっていてもよい。また、複数形成されている支承柱の一部を除去すること、或いは一部の支承柱において高さを低く設けることにより、ポット苗などをそのまま充填できる土壌空間を形成、確保することもできる。
【００１９】
本考案に係る植栽用基盤１にあっては、上記板状部２、周壁３、そして支承柱４が、通水性の空隙を有する合成樹脂発泡体により一体的に形成されている。合成樹脂発泡体としては、ポリスチレン系樹脂、ポリエチレン系樹脂、ポリプロピレン系樹脂等の発泡体が挙げられるが、中でも、耐久性、耐薬品性等の観点からポリエチレン系樹脂発泡体、ポリプロピレン系樹脂発泡体、ポリオレフィン改質ポリスチレン系樹脂発泡体よりなるものが好ましい。これらの合成樹脂発泡体よりなる植栽用基盤１を、通水性の空隙を有するものとするには、該植栽用基盤１を、例えば特開昭５２−１４０５６９号、実公平５−２０５９号、実公平６−５１５９号等に記載されている方法に準じて合成樹脂発泡粒子より成形すればよいが、特に本件出願人が先に提案した特開平７−１３７０６３号に記載されているような、貫通した空隙部や表面に突起を有する合成樹脂発泡粒子を用いて植栽用基盤１を成形することが好ましい。このような発泡粒子を用いて形成した植栽用基盤１は、それ自体が充分な強度を有するため、金属枠等の補強部材で補強しなくても培養土等の土壌を収納したまま持ち運びが可能で、持ち運び時に破損する等の虞がない。また発泡粒子の形状、例えば貫通した空隙部分の孔径や突起部分の高さを調整することにより、該植栽用基盤１を構成する発泡体の空隙率、透水係数を容易に目的とする値に調整することができ、植物の根が該植栽用基盤１から出難くすることもできる。
なお、本明細書において、通水性の空隙を有するの『通水性』とは、植物の育成に適するように植物の種類に応じて決められるが、おおむね透水係数で０．００１ｃｍ／秒以上である。
【００２０】
貫通した空隙部を有する発泡粒子は、押出機から中空ストランド状の押し出した樹脂を切断して得た中空筒状の樹脂粒子を、例えば密閉容器内で発泡剤と共に水に分散させて樹脂粒子に発泡剤を含浸させた後、容器内より低圧下に放出して発泡させる方法によって得ることができる。上記中空筒状の樹脂粒子としては、図５に示すような形状のリップ１１をダイス１０に設け、このリップ１１より樹脂を中空ストランド状に押し出し、これを切断して得たものを用いることが好ましい。このような形状のリップ１１より押し出したストランドを切断して得た中空筒状の樹脂粒子を発泡させて得た発泡粒子を用いて周知の型内成形を行うことによって、より空隙率の高い植栽用基盤１、具体的には、空隙率３０％を超えるような植栽用基盤１を成形することができるため好ましい。
【００２１】
植栽用基盤１を構成する発泡体の見掛け密度は、０．０１〜０．２５ｇ／ｃｍ3が好ましいが、更に、０．０１５〜０．０９ｇ／ｃｍ3が好ましく、特に０．０２〜０．０６ｇ／ｃｍ3が好ましい。また発泡体の空隙率は５〜５０％が好ましいが、更には１０〜４５％が好ましく、特に１５〜３５％が好ましい。植栽用基盤１は透水係数が１０〜０．００１ｃｍ／秒、特に１〜０．０１ｃｍ／秒の発泡体から構成されていることが好ましい。
【００２２】
なお、本明細書における発泡体の見掛け密度（ｇ／ｃｍ3）は、成形体（発泡体）重量（ｇ）を、成形体（発泡体）の外形寸法から求めた空隙部を含んだ見掛け体積（ｃｍ3）で割ることによって求めた。
【００２３】
また、空隙率は、下記（１）式により求めることができる。
空隙率：Ａ（体積％）＝［（Ｂ−Ｃ）÷Ｂ］×１００・・・（１）
上記（１）式において、Ｂは発泡体の見掛け体積（ｃｍ3）、Ｃは発泡体の真の体積（ｃｍ3）を示す。発泡体の見掛け体積：Ｂ（ｃｍ3）は、発泡体の外形寸法より算出される体積である。また発泡体の真の体積：Ｃ（ｃｍ3）は、発泡体の見掛け体積：Ｂから空隙部の容積を除いた実質体積で、発泡体を容積既知のエタノール中に沈めた時、増加した容積が発泡体の真の体積：Ｃ（ｃｍ3）に相当する。
【００２４】
さらに、透水係数は、ＪＩＳ  Ａ  １２１８に準拠して測定した。試料としては砂に代えて本考案の植栽用基盤１に使用する発泡体から切り出した縦１２０ｍｍ、横１２０ｍｍ、厚さ５０ｍｍの直方体形状の試料を用いた。またこの試料を入れる円筒に代えて角筒を用い、定水位式による透水性測定を行うことによって求めた。なお、発泡体から縦１２０ｍｍ、横１２０ｍｍ、厚さ５０ｍｍの試料を切り出せなかった場合は、複数の試料を切り出して組合せて縦１２０ｍｍ、横１２０ｍｍ、厚さ５０ｍｍの試料が形成されるように発泡体から切り出しを行う。
【００２５】
上記した構成の植栽用基盤１が、図６に示したように、屋上等の緑化したい場所に複数個連接して敷設され、該敷設された植栽用基盤１に土壌２１が充填され、該充填された土壌２１に植物２２が植えられることにより、緑化構造物２０が構築される。複数の植栽用基盤１を連接して敷設する場合、各植栽用基盤１のコーナー部を金具２３によって連結する方法を採用することができる。
【００２６】
植栽用基盤１に充填される土壌２１としては、自然土壌の他に、各種培養土にバーミキュライト、ビートモス、パーライト等を混合して重量及び／又は性状が調整されたものが使用できる。土壌２１は軽量なものが好ましく、密度０．５〜１．２ｇ／ｃｍ3が好ましい。また、陽イオン交換量３０〜４５ｍｅｑ／乾物１００ｇ、有効水分保持量１２０〜３００リットル／ｍ3、ｐＨ＝５〜９、三相分布においては、気相率５０〜７５％、水相率８〜２５％、固相率１２〜２５％のものが好ましい。
【００２７】
充填された土壌２１に植えられる植物２２としては、草丈が低く踏圧に強い植物、例えば芝、マンネングザ、日々草、シロツメクサ等の他、草丈が１０ｃｍを超える植物、例えば、アセビ、アベリア、カンツバキ、キョウチクトウ、シャリンバイ、ツツジ類、トベラ、ナンテン、ハイビクシャン、ハギ、アメリカツルマサキ、ジャーマンアイリス、ハマギク、ヒメシャガ、ピラカンサ、ヤブラン、各種ハーブ等も植えることができる。
【００２８】
図６に示した実施の形態にあっては、手前側には草丈が低く踏圧に強い芝２２ａを植えた植栽用基盤１を敷設し、後方側には芝２２ａと草丈が１０ｃｍを超えるツツジ類２２ｂとを混合して植えた植栽用基盤１を敷設し、緑化構造物２０を構築している。
この場合、芝２２ａのみを植えた手前側は、人が歩行できるものとなり、その際の荷重は、植栽用基盤１に形成された支承柱４が支えるため、歩行性及び歩行による土壌２１の圧密が改善される。また、草丈が１０ｃｍを超えるツツジ類２２ｂを植えた後方側においては、図７に示したように、支承柱４の存在により植物の根の伸長に必要な土壌２１の厚さが確保されているとともに、植栽用基盤１自体が有する空隙に植物の根が入り込み、風によって植物が倒伏することがなく、十分に成長可能な環境が整えられている。
【００２９】
本考案の上記した緑化構造物２０は、ビルの屋上の他、ベランダ、バルコニー、舗装路、広場等、簡易的な草花装飾を必要とする場所等に容易に構築することができる。
【００３０】
以上、本考案に係る植栽用基盤及び該植栽用基盤を用いた緑化構造物の実施の形態を説明したが、本考案は、何ら既述の実施の形態に限定されるものではなく、実用新案登録請求の範囲に記載した本考案の技術的思想の範囲内において、種々の変形及び変更が可能であることは当然である。
【符号の説明】
【００３１】
１      植栽用基盤
２      板状部
３      周壁
４      支承柱
５      凹部
６      凸部
１０    ダイス
１１    リップ
２０    緑化構造物
２１    土壌
２２    植物
２２ａ  芝
２２ｂ  ツツジ
２３    金具
【図１】
0003153614.tif 000003
【図２】
0003153614.tif 000004
【図３】
0003153614.tif 000005
【図４】
0003153614.tif 000006
【図５】
0003153614.tif 000007
【図６】
0003153614.tif 000008
【図７】
0003153614.tif 000009